(57)【要約】【課題】  収容したコップ等の物品が外部から見えず、しかも内容物の飛散や異物の混入を防止し、さらに使用済の物品を容易に処分して容器を直に再使用できる物品の持ち運び用容器を提供する。【解決手段】  上方が開放された容器２内に防水シート３を敷設し、同防水シート３が敷設された容器２内に物品Ｂの係止穴４ａが複数形成された係止部材４を脱着自在に嵌挿し、同係止部材４で係止した物品Ｂの上方に蓋部材５を容器２の開口を覆うように脱着自在に取り付ける。防水シート３の対向する両端部は容器２の開口縁部に粘着手段で脱着自在に粘着する。また、防水シート３の端部を外側へ大きく張り出して張出部３ｂを形成し、同張出部３ｂを端部で折り曲げて封止できるようにする。係止部材４の両端部には下方へ伸びる所定長さの脚部４ｂを形成し、同脚部４ｂで防水シート３を押え付けるようにして係止部材４を容器２内で所定高さに支持できるようにする。【選択図】          図１
0003107911.tif 000002
【実用新案登録請求の範囲】
【請求項１】
上方が開放された容器内に防水シートを容器の底面及び側壁を覆うように敷設し、同防水シートの少なくとも対向する両端部を容器の開口縁部に粘着手段で脱着自在に粘着し、同防水シートが敷設された容器内に物品を係止する係止部材を脱着自在に嵌挿し、同係止部材で係止した物品の上方に蓋部材を容器の開口を覆うように脱着自在に取り付けた物品の持ち運び用容器。
【請求項２】
上方が開放された容器内に端部を外側へ大きく張り出して張出部を形成した防水シートを容器の底面及び側壁を覆うように敷設し、同防水シートの少なくとも対向する両端部を容器の開口縁部に粘着手段で脱着自在に粘着し、同防水シートが敷設された容器内に物品を係止する係止部材を脱着自在に嵌挿し、同係止部材で係止した物品の上方に防水シートの張出部を端部で折り曲げて容器の開口を被覆できるようにした物品の持ち運び用容器。
【請求項３】
防水シートの端部を外側へ大きく張り出して張出部を形成し、同張出部を端部で折り曲げて蓋部材を被覆できるようにした請求項１記載の物品の持ち運び用容器。
【請求項４】
防水シートの張出部の各辺部を対向する辺部に粘着手段で粘着して封止できるようにした請求項２又は３記載の物品の持ち運び容器。
【請求項５】
係止部材の少なくとも対向する両端部に下方へ伸びる所定長さの脚部を形成し、同脚部で敷設した防水シートを押え付けて容器の側壁及び底面に沿って配置できるようにした請求項１〜４いずれか記載の物品の持ち運び用容器。
【請求項６】
容器又は防水シートが不透明な材料で構成されたものである請求項１〜５いずれか記載の物品の持ち運び用容器。
【請求項７】
容器の対向する側壁を開口して取っ手とした請求項１〜６いずれか記載の物品の持ち運び用容器。
【請求項８】
請求項１〜７いずれか記載の物品の持ち運び用容器が、医療用容器又は器具の持ち運びに用いられるものである物品の持ち運び用容器。
【考案の詳細な説明】
【技術分野】
【０００１】
本考案は、主として検尿用の尿コップや医療の検査試料を入れた小容器、器具等の物品を収容して保管及び持ち運びするための容器に関する。
【背景技術】
【０００２】
従来、例えば検尿用の尿コップを収容する物品容器としては、浅底の容器に尿コップの係止穴が複数形成されたホルダーを脱着自在に装着した構造のものや、浅底の容器を尿コップが置ける間隔に仕切板で多数に区画した構造のものが一般的である。
【０００３】
ところで、これらの物品容器は、置いた尿コップの上方は開放されているから、持ち運びする際に中の尿が飛散する恐れがあり、周囲の異物が混入したりして検尿に影響を与える場合があった。また、使用後は容器やホルダーを洗浄する必要があり、再使用まで手間を要する問題もあった。さらに、透明又は半透明のプラスチックで構成され、しかも置いたコップの上半身が露出される構造のものが一般的であるから、持ち運びする際に尿コップが不特定多数の患者から見えてしまう問題もあった。
【特許文献１】特開平７−３２９９５３号公報
【考案の開示】
【考案が解決しようとする課題】
【０００４】
本考案が解決しようとする課題は、従来のこれらの問題点を解消し、収容したコップ等の物品が外部から見えず、しかも内容物の飛散や異物の混入を防止し、さらに使用済の物品を容易に処分して容器を直に再使用できる物品の持ち運び用容器を提供することにある。
【課題を解決するための手段】
【０００５】
かかる課題を解決した本考案の構成は、
１）  上方が開放された容器内に防水シートを容器の底面及び側壁を覆うように敷設し、同防水シートの少なくとも対向する両端部を容器の開口縁部に粘着手段で脱着自在に粘着し、同防水シートが敷設された容器内に物品を係止する係止部材を脱着自在に嵌挿し、同係止部材で係止した物品の上方に蓋部材を容器の開口を覆うように脱着自在に取り付けた物品の持ち運び用容器
２）  上方が開放された容器内に端部を外側へ大きく張り出して張出部を形成した防水シートを容器の底面及び側壁を覆うように敷設し、同防水シートの少なくとも対向する両端部を容器の開口縁部に粘着手段で脱着自在に粘着し、同防水シートが敷設された容器内に物品を係止する係止部材を脱着自在に嵌挿し、同係止部材で係止した物品の上方に防水シートの張出部を端部で折り曲げて容器の開口を被覆できるようにした物品の持ち運び用容器
３）  防水シートの端部を外側へ大きく張り出して張出部を形成し、同張出部を端部で折り曲げて蓋部材を被覆できるようにした前記１）記載の物品の持ち運び用容器
４）  防水シートの張出部の各辺部を対向する辺部に粘着手段で粘着して封止できるようにした前記２）又は３）記載の物品の持ち運び容器
５）  係止部材の少なくとも対向する両端部に下方へ伸びる所定長さの脚部を形成し、同脚部で敷設した防水シートを押え付けて容器の側壁及び底面に沿って配置できるようにした前記１）〜４）いずれか記載の物品の持ち運び用容器
６）  容器又は防水シートが不透明な材料で構成されたものである前記１）〜５）いずれか記載の物品の持ち運び用容器
７）  容器の対向する側壁を開口して取っ手とした前記１）〜６）いずれか記載の物品の持ち運び用容器
８）  前記１）〜７）いずれか記載の物品の持ち運び用容器が、医療用容器又は器具の持ち運びに用いられるものである物品の持ち運び用容器
にある。
【考案の効果】
【０００６】
本考案によれば、物品を収容後、防水シートの張出部又は蓋部材で封止するから内容物の飛散や異物の混入を防止できる。また、容器や防水シートを不透明な材料で構成すれば外部から物品を見えなくすることができる。さらに、物品と係止部材は防水シートを介して収容するから内容物が容器へ漏出することがなく、使用済の物品を迅速且つ容易に処分でき、容器も特段の洗浄を必要とすることなく直に再使用できる。
【考案を実施するための最良の形態】
【０００７】
本考案の容器・蓋部材又は防水シートは、いずれかを不透明の材料で構成するのが望ましく、容器・蓋部材は着色されたプラスチック・段ボール・軽金属等が用いられ、防水シートは着色されたポリエチレン・ポリプロピレン・ポリエステル・塩化ビニル等が用いられる。防水シートの対向する両端部には容器の開口縁部に粘着シート等の粘着手段で脱着自在にすると、使用中にズレなく固定して液体の漏出を防止できる。また、防水シートの端部を外側へ大きく張り出して張出部を形成すると、張出部を端部で折り曲げて粘着シートで封止することで密閉し、処分を容易にできて好ましい。張出部には予め取っ手を形成しておくと、容器からの取り出しや処分場所までの運搬が容易になる。又、容器にも開口して取っ手を形成したり、取っ手具を取り付けることで持ち運びを容易にできる。係止部材の両端部には下方へ伸びる所定長さの脚部を形成すると、脚部で係止部材を容器内で所定高さに支持でき、しかも脚部で防水シートを押え付けて容器の内壁に沿って配置できる。以下、本考案の各実施例を図面に基づいて具体的に説明する。
【実施例１】
【０００８】
図１〜５に示す実施例１は、本考案の物品の持ち運び用容器を尿コップの保管・持ち運び用に適用した例である。図１は実施例１の物品容器の一部切欠斜視図、図２は図１のＡ−Ａ断面図、図３は図１のＢ−Ｂ断面図、図４は実施例１の防水シートの封止を示す説明図、図５は実施例１の物品容器の段積みを示す説明図である。
【０００９】
実施例１の物品容器１は、図１〜３に示すように上方が開放された容器２内に防水シート３を敷設し、同防水シート３が敷設された容器２内に物品Ｂの係止穴４ａが複数形成された係止部材４を脱着自在に嵌挿し、同係止部材４で係止した物品Ｂの上方に蓋部材５を容器２の開口を覆うように脱着自在に取り付けている。容器２・係止部材４・蓋部材５は段ボールで構成され、蓋部材５の縁部は下方へ鋭角に折り曲げて折曲片５ａを形成している。寸法は容器２が３５×１７×１０ｃｍ、係止部材４は３４．５×１６．５×５ｃｍ、蓋部材５は３４．５×１６．５×４ｃｍの大きさである。また、容器２の側壁は段積みができるように幅が下方へ向かって狭幅となるようにテーパーを形成し、しかも蓋部材５の折曲片５ａがテーパーと当接して物品Ｂのおよそ５ｍｍ上方で支持されるようにし、物品Ｂの内容物が蓋部材５を通じて他の物品Ｂへ移行しないようにしている。２ａ，５ｂは取っ手である。
【００１０】
防水シート３は着色されたポリエチレン樹脂からなり、その３辺の各端部を容器２の３辺の各開口縁部に粘着シート３ａで脱着自在に粘着している。また、他の一端部を外側へ大きく張り出して張出部３ｂを形成し、同張出部３ｂの各辺部に剥離紙付きの粘着シート３ｂを設けている。係止部材４は両端部に下方へ伸びる４ｃｍの長さの脚部４ｂを形成し、同脚部４ｂで防水シート３を押え付けて係止部材４を容器２内で所定高さに支持できるようにしている。
【００１１】
使用する際は、折り曲げた防水シート３の張出部３ｂを開放して蓋部材５を取り外し、物品Ｂ（尿コップ）を係止部材４の各係止穴４ａに挿入し、蓋部材５を上から嵌挿して防水シート３の張出部３ｂを再度被覆し、取っ手２ａに指を挿し込んで持ち運び及び図５に示すように多段に保管する。取っ手２ａに挿し込んだ指は防水シート３に当接し、物品Ｂやその内容物と触れることがない。検尿が終了すると、図４に示すように防水シート３の張出部３ｂの粘着シート３ａの剥離紙を剥離して張出部３ｂを対向する端部に粘着して封止し、両端部の粘着シート３ａを容器２の縁部から剥離し、各物品Ｂが挿入された係止部材４及び蓋部材５を防水シート３ごと容器２から取り出して廃棄処分する。
【００１２】
再使用する際は、新しい防水シート３・係止部材４・蓋部材５を用意し、防水シート３を容器２に仮敷設した後、係止部材４を上から嵌挿して係止部材４の脚部４ｂで防水シート３を押え付けるように容器２の側壁及び底面に沿って配置させ、蓋部材５を取り付けて防水シート３の両端部の粘着シート３ａで容器２に粘着する。
【００１３】
実施例１はこのように構成したから、物品Ｂを収容後、蓋部材５で封止することで物品Ｂの内容物の飛散や異物の混入を防止できた。また、容器２や蓋部材５あるいは防止シート３を不透明な材料で構成したから、外部から物品Ｂを見えなくすることができた。さらに、物品Ｂと係止部材４は防水シート３を介して収容するから内容物が容器２へ漏出することがなく、使用済みの物品Ｂを迅速且つ容易に処分でき、しかも容器２も特段の洗浄を必要とすることなく直に再使用できるようになった。
【実施例２】
【００１４】
図６に示す実施例２は、実施例１の物品容器において蓋部材を省略し、係止部材を浮かせた状態で支持できるようにした例である。図６は実施例２の物品容器の縦断面図である。図中、４ｃは支持片である。実施例２の物品容器１は、図６に示すように蓋部材５を省略して防水シート３の張出部３ｂで直接容器２の開口を封止している。また、係止部材４の端部は脚部４ｂに代えて短い支持片４ｃを内側へ鋭角に形成し、係止部材４を嵌挿した際、その支持片４ｃが容器２の側壁のテーパーと当接して係止部材４が所定高さに浮設できるようにしている。その他、符号、構成は実施例１と同じである。
【００１５】
図７，８に示すのは実施例１の防水シートの他の例である。図７は実施例１の他の例の物品容器の平面図、図８は実施例１の他の例の物品容器の縦断面図である。図中、３ｃは取っ手である。実施例１の他の例では、図７に示すように防水シート３の対向する両端部に取っ手３ｃを備えた張出部３ｂをそれぞれ形成し、持ち運び時は図８（ａ）に示すように張出部３ｂを容器２の側壁の外側面に折り曲げて粘着シート３ａで粘着し、容器２の取っ手２ａと防水シート３の取っ手３ｃを連通させて指を挿入できるようにしている。処分時は図８（ｂ）に示すように各張出部３ｂを対向させて粘着シート３ａで各取っ手３ｃが連通するように粘着させ、防水シート３を封止して処分できるようにしている。その他、符号、構成は実施例１と同じである。
【産業上の利用可能性】
【００１６】
本考案の物品の持ち運び用容器は、主として検尿用の尿コップや医療の検査試料を入れた小容器、器具等の物品を収容して保管及び持ち運びするために利用されるが、その他食品（野菜・果物・カップ商品など）の容器としても好ましく利用できる。
【図面の簡単な説明】
【００１７】
【図１】実施例１の物品容器の一部切欠斜視図である。
【図２】図１のＡ−Ａ断面図である。
【図３】図１のＢ−Ｂ断面図である。
【図４】実施例１の防水シートの封止を示す説明図である。
【図５】実施例１の物品容器の段積みを示す説明図である。
【図６】実施例２の物品容器の縦断面図である。
【図７】実施例１の他の例の物品容器の平面図である。
【図８】実施例１の他の例の物品容器の縦断面図である。
【符号の説明】
【００１８】
１  物品容器
２  容器
２ａ  取っ手
３  防水シート
３ａ  粘着シート
３ｂ  張出部
３ｃ  取っ手
４  係止部材
４ａ  係止穴
４ｂ  脚部
４ｃ  支持片
５  蓋部材
５ａ  折曲片
５ｂ  取っ手
Ｂ  物品
【図１】
0003107911.tif 000003
【図２】
0003107911.tif 000004
【図３】
0003107911.tif 000005
【図４】
0003107911.tif 000006
【図５】
0003107911.tif 000007
【図６】
0003107911.tif 000008
【図７】
0003107911.tif 000009
【図８】
0003107911.tif 000010